(57)【要約】【課題】家屋の屋根軒先を風雨から守る破風板において、一品種で任意の幅サイズの破風板にリフォーム対応できると共に新築用にも使用可能で、施工現場での作業手間が少なく、１人で取付作業を容易に行うことを可能とする。【解決手段】破風板１は、長尺の板状部材から成る破風板本体１０と、破風板本体１０の背面下部に二重に設けられ、長手方向に下端部がスリット状に開口１２した袋状空間１３を形成する背面板１４と、断面略Ｕ字状で長尺の前面側及び背面側の板状部材２１，２２から成る調整部材２０とを備える。この調整部材２０の前面側板状部材２１の上端を破風板本体１０のスリット状開口１２から任意の位置まで差し込むことで、破風板本体１０の幅サイズを任意に調整することができる。【選択図】図１
2006207160.tif 000002
【特許請求の範囲】
【請求項１】
家屋の屋根軒先を風雨から守る破風板であって、
長尺の板状部材から成る破風板本体と、
この破風板本体の背面下部に二重に設けられ、長手方向に下端部がスリット状に開口した袋状空間を形成する背面板と、
断面略Ｕ字状で長尺の前面側及び背面側の板状部材から成り、該前面側板状部材の上端を前記スリット状開口から任意の位置まで差し込むことで、前記破風板本体の幅サイズを任意に調整自在とする調整部材と、を備えたことを特徴とする破風板。
【請求項２】
前記スリット状開口に差し込まれる調整部材の前面側板状部材の背面に滑り止め部材が設けられ、該スリット状開口を形成する背面板の下端部に前記滑り止め部材と係合される突出部が設けられていることを特徴とする請求項１記載の破風板。
【請求項３】
前記背面板の下端部が前記破風板本体の下端部よりも下方向に長く延設されていることを特徴とする請求項１又は請求項２に記載の破風板。
【発明の詳細な説明】
【技術分野】
【０００１】
本発明は、家屋の屋根軒先の美観と軒先を風雨から守るための破風板に関する。
【背景技術】
【０００２】
従来から破風板には、ラワン材が使用され、その表面は防腐も兼ねて塗装が成されていた。木材で成る場合、１０年位でひび割れや塗装の剥がれ等で再塗装が必要とされていた。窯業系の破風板は、家屋の建設現場での塗装作業を無くして、工期期間やコストダウンを図っている。窯業系のものは、材質がセメントであるので、製品重量が重く、１人での作業は困難であった。また、塩ビ樹脂やポリスチレン樹脂などの発泡体で成る破風板も知られている。さらにまた、破風板を屋根端部下側に回転させつつ押し込んで組み付けることで、取り付け作業を１人で行えるようにした提案も成されている（特許文献１参照）。
【特許文献１】特開２００２−２４２３９４号公報
【発明の開示】
【発明が解決しようとする課題】
【０００３】
ところで、家屋のリフォームで屋根を葺き替えるとき、破風板はひび割れや塗装の剥がれで見苦しい状態になっている。再塗装しても元通りに復元できないので、表面化粧版として板金によるカバーリング工法が採用されている。工事業者は、施工現場で寸法と形状を測定して、ベンダー折り曲げ加工し、再度、現場で施工するなどの手間を要していた。そして、従来の破風板は、幅サイズが１８０ｍｍと２１０ｍｍのものが大半であった。
【０００４】
本発明は、上記問題を解消するものであり、一品種で任意の幅サイズの破風板にリフォーム対応できると共に新築用にも使用可能で、施工現場での作業手間が少なく、１人で取付作業を容易に行うことが可能な破風板を提供することを目的とする。
【課題を解決するための手段】
【０００５】
上述目的を達成するため、本発明は、家屋の屋根軒先を風雨から守る破風板であって、
長尺の板状部材から成る破風板本体と、この破風板本体の背面下部に二重に設けられ、長手方向に下端部がスリット状に開口した袋状空間を形成する背面板と、断面略Ｕ字状で長尺の前面側及び背面側の板状部材から成り、該前面側板状部材の上端を前記スリット状開口から任意の位置まで差し込むことで、前記破風板本体の幅サイズを任意に調整自在とする調整部材と、を備えたものである。
【０００６】
また、前記スリット状開口に差し込まれる調整部材の前面側板状部材の背面に滑り止め部材が設けられ、該スリット状開口を形成する背面板の下端部に前記滑り止め部材と係合される突出部が設けられていることが望ましい。
【０００７】
また、前記背面板の下端部が前記破風板本体の下端部よりも下方向に延設されていることが望ましい。
【発明の効果】
【０００８】
本発明によれば、調整部材をスリット状開口から任意の位置まで差し込むことで、破風板の幅サイズを任意に調整できるので、１品種で任意の破風板の幅寸法に対応可能となる。このため、現場での寸法測定の作業が不要で、能率向上が図れる。また、商品の在庫が１品種で済み、低コスト化が図れる。
【０００９】
また、調整部材に滑り止め部材が設けられていれば、調整部材をスリット状開口に差し込むとき、作業が容易となる。
【００１０】
また、背面板の下端部が破風板本体の下端部よりも下方向に長く延設されていれば、前面側から調整部材をスリット状開口に差し込み作業をするとき、調整部材を背面板に当てて上に差し込めばよいので、１人で容易に作業することができる。
【発明を実施するための最良の形態】
【００１１】
以下、本発明の実施形態に係る破風板について図面を参照して説明する。図１は本実施形態の破風板を示し、図２、図３は同破風板のリフォーム使用状態を、図４は新築での同破風板の使用例を示す。
【００１２】
図１において、破風板１は、家屋の屋根軒先を風雨から守るものであって、長尺の板状部材から成る破風板本体１０と、前記破風板本体１０の幅サイズを任意に調整自在とする調整部材２０とを主構成要素とする。破風板本体１０の背面下部１１には、長手方向に下端部がスリット状に開口１２した袋状空間１３を形成する背面板１４が前面側から見て二重に設けられている。背面板１４は、破風板本体１０と一体的に形成されても、別個の部材が溶着その他の手段で固定されてもよい。破風板本体１０の上端は、内側への折り返し部１５が設けられている。調整部材２０は、断面略Ｕ字状で長尺の板状部材から成り、前面側の板状部材２１と、背面側の板状部材２２と、その間をつなぐ底面部材２３とから成る。破風板本体１０、背面板１４及び調整部材２０は、いずれもアルミ、合成樹脂、樹脂剛板などから形成される。破風板本体１０及び調整部材２０の全長は、例えば３ｍとする。
【００１３】
上記構成において、調整部材２０の前面側板状部材２１の上端を、スリット状開口１２を通して矢印方向に任意の位置まで差し込みスライドさせることで、破風板本体１０の幅（高さ）サイズを調整可能となる。破風板本体１０及び調整部材２０は、上記差し込みにより仮止めされた状態で被施工の固定部材に釘やボルトで固定される。
【００１４】
図２及び図３に示されるように、既設破風板のリフォーム使用の場合、下地板３に保持されている既設破風板４自体が固定部材となる。ここに、既設破風板４が１８０ｍｍであっても、２１０ｍｍであっても、さらには、図示していないが、それ以上の幅（高さ）寸法であっても、対応可能である。図示していないが、下地板３及び既設破風板４の上には、屋根が位置する。
【００１５】
施工方法は、既設破風板４に破風板本体１０を釘５などにより固定し、この破風板本体１０のスリット状開口１２から袋状空間１３に調整部材２０の前面側板状部材２１を差し込む。調整部材２０の背面側の板状部材２２は、既設破風板４の裏側に回りこませ、底面部材２３を既設破風板４の底面に当接又は近接させ、かつ、背面側の板状部材２２を軒天井６の下面に当接乃至近接させる。この状態にて、破風板本体１０と調整部材２０とを釘５により既設破風板４に固定する。こうして、１種類の破風板１を用意しておくだけで、既設破風板４の幅の大小に関わらず、老朽化した既設破風板４の改装・リフォームを行うことができる。
【００１６】
また、調整部材２０の背面側の板状部材２２は、既設破風板４の裏側に回りこませているが、この部分を、軒天井６に別個に取り付けた連結部品に係合させることで、軒天井６に固定するようにしてもよい。
【００１７】
図４は、新規施工の場合の破風板１を示す。この場合、破風板１自体が下地板３に固定され、破風板となる。前述と同部材には同番号を付している。調整部材２０は破風板本体１０に釘、ボルトなどで固定すればよい。
【００１８】
図５は、破風板１の変形例を示す。この例では、調整部材２０の前面側板状部材２１の背面に、滑り止めのラッチ２１ａ（滑り止め部材）を設け、破風板本体１０のスリット状開口１２を形成する背面板１４の下端部１４ａは、ラッチ２１ａと係合する突出部とする。このラッチ係合構成があることにより、破風板本体１０に調整部材２０を一体化するときに調整部材２０の落下防止が図れ、施工作業性が一段と向上する。
【００１９】
また、上記ラッチ係合構成の有無に関わらず、破風板本体１０の下端部よりも背面板１４の下端縁１４ａの方が長く下まで長さＬだけ伸びていることが望ましい。これにより、施工に際して、作業者が破風板本体１０の前面側から調整部材２０の前面側板状部材２１をスリット状開口１２より袋状空間１３に差し込む時に、前面側板状部材２１を背面板１４の下端縁１４ａに押し当てるようにして挿入することができるので、作業性が良い。
【００２０】
図６は、破風板１のさらに別の変形例を示す。この例では、調整部材２０の前面側板状部材２１の下端部が下方に一体に延設され、化粧デザイン効果がより一層得られるように波形２１ａなどに形成した。また、破風板本体１０の前面は、長さ方向に伸びる凹凸縞形状としている。
【００２１】
図７（ａ）（ｂ）（ｃ）は、破風板本体１０に背面板１４を設けるための、上記の一体成形した例とは別の各種組立構成を示している。（ａ）の例では、破風板本体１０の背面に長手方向に伸びるＴ字状突起１６を一体に形成し、背面板１４の上端部に、このＴ字状突起１６と長手方向から嵌合される凹部１４ｂを一体に形成している。この凹部１４ｂにＴ字状突起１６を嵌合させることで、両者を組み付け、これにより、背面板１４が破風板本体１０に形成される。（ｂ）の例では、破風板本体１０の背面に係合用突部１７を一体に形成し、背面板１４の上端部に、この係合用突部１７との係合用爪部１４ｃを一体に形成している。（ｃ）の例では、破風板本体１０の背面に一体に袋状空間１３を形成するよう、前述スリット状開口１２に相当する部位がダミー部分１８として連続形成されており、このダミー部分１８を切断することによってスリット状開口１２が形成される。
【００２２】
図８は、破風板１に雨樋受け金具７を取り付けた実施例を示す。破風板本体１０の前面には、所定間隔毎に長さ方向に伸びる縞溝１９が形成されており、この縞溝１９を利用して、雨樋受け金具７をビス８（又は釘）により取り付ける。従来、破風板に雨樋受け金具を取り付ける際には、水平の水糸を張り、この糸に沿って雨樋受け金具を順次、取り付けていた。そのため、作業性に劣っていた。それに対し、本実施例では、水糸に代わって、破風板本体１０に縞溝１９が水平方向にあるので、この縞溝１９に沿って雨樋受け金具７を取り付けていけばよい。これにより、作業性が極めて良いものとなる。また、縞溝１９が凹状に窪んでいるので、ビス８を打ち込み易い。
【００２３】
図９（ａ）（ｂ）は、破風板１を長手方向に連続的に繋いでいく時に使用する継手を示す。（ａ）は直角のコーナー部を構成する出隅継手３０の使用例、（ｂ）は通常の継手４０の使用例である。出隅継手３０及び通常の継手４０は、いずれも上面視Ｈ字状で破風板１の幅寸法と同等の高さ寸法を持ち、左右両側から破風板１が嵌め込まれる。
【００２４】
以上のような各種実施形態に係る破風板１においては、破風板本体１０に対する調整部材２０のスライド差し込み量により、任意の幅寸法に対応可能であるので、商品在庫は１品種で済み、経済的であり、また、現場での寸法測定の作業が不要で、能率的である。また、施工作業が容易で、１人で施工することができる。破風板１がアルミ材質の場合、風雨に強く、湿度や虫により朽ちることがなく、また、外観に割れ傷や変色が生じ難いので、家屋の美観と耐久性が保たれる。
【００２５】
なお、本発明は、上記実施形態の構成に限られず、発明の趣旨を変形しない範囲で種々の変形が可能である。
【図面の簡単な説明】
【００２６】
【図１】本発明の一実施形態に係る破風板の斜視図。
【図２】同破風板をリフォーム改装に使用したときの断面図。
【図３】同破風板をリフォーム改装に使用したときの上記とは幅寸法が異なる場合の断面図。
【図４】同破風板を新規施工に使用したときの断面図。
【図５】同破風板の変形例を示す断面図。
【図６】同破風板のさらに別の変形例を示す断面図。
【図７】（ａ）（ｂ）（ｃ）はそれぞれ同破風板の破風板本体に背面板を設けるための、各種組立構成を示す断面図。
【図８】同破風板に雨樋受け金具を取り付けた実施例を示す斜視図。
【図９】（ａ）（ｂ）は破風板を長手方向に連続的に繋いでいく時に使用する継手を示す斜視図。
【符号の説明】
【００２７】
１  破風板
１０  破風板本体
１１  背面下部
１２  スリット状開口
１３  袋状空間
１４  背面板
１４ａ  背面板の下端部（突出部）
２０  調整部材
２１  前面側の板状部材
２１ａ  滑り止めのラッチ（滑り止め部材）
２２  背面側の板状部材
【図１】
2006207160.tif 000003
【図２】
2006207160.tif 000004
【図３】
2006207160.tif 000005
【図４】
2006207160.tif 000006
【図５】
2006207160.tif 000007
【図６】
2006207160.tif 000008
【図７】
2006207160.tif 000009
【図８】
2006207160.tif 000010
【図９】
2006207160.tif 000011